(57)【要約】【課題】衣服にワンタッチで取り付けができ、エプロン主体の前面に添装したタオル地で水濡れした手を容易にふき取ることができるエプロンを提供する。【解決手段】ビニールからなる長めのエプロン主体１の上縁部１´をヘアバンド形のホルダー５に固定し、上縁部の直下に取り付けた複数個の留具半体３と係合する留具半体４を取り付けたタオル地２を、エプロン主体の前面に添装する。【選択図】図１
0003181726.tif 000002
【実用新案登録請求の範囲】
【請求項１】
ビニールからなる長めのエプロン主体の上縁部をヘアバンド形のホルダーに固定し、上縁部の直下に取り付けた複数個の留具半体と係合する留具半体を取り付けたタオル地を、エプロン主体の前面に添装し、しかして前記ホルダーによりエプロン主体を胴部等に装着することを特徴とするクイックエプロン。
【考案の詳細な説明】
【技術分野】
【０００１】  本考案は本体と拭い部のいずれをも手早く着脱できるクイックエプロンに関する。
【背景技術】
【０００２】  家事や料理中に両手がぬれると身近にあるタオルでその部分を払拭するのが一般であるが、タオルとの位置が離れていたりタオルをハンガーにかけ忘れたりすると探すのに手間がかかったり、ぬれた手のまま作業を続けるといったことも稀ではない。そこでタオルを別に用意しないでも、衣服に取り付けることによりその場でぬれた手を払拭できることを目的としたエプロンが提案されている。また通常のエプロン表面に別体の添着布を取り付けていざという時にその添着布で手を拭くことのできる二重エプロンの創案もある（特許文献１及び２参照）。
【先行技術文献】
【特許文献】
【０００３】
【特許文献１】実用新案登録第３０９７４８５号公報
【特許文献２】実開昭５３−５８０２８号公報
【考案の概要】
【考案が解決しようとする課題】
【０００４】  すなわち特許文献１はタオル地のエプロン本体に筒縫い部を形成し、筒縫い部にホルダー部材を貫通させ、ホルダー部材でエプロン本体を人の腰部に着脱可能に装着するということを特徴とするものであり、エプロンの着脱が迅速に行えるとともにエプロン本体で手を拭くこともできるとする技術である。このエプロンはホルダーにタオル地を取り付けたに過ぎない極めて単純な構成のものであり、単なる手拭き兼用としてはそれなりの用途を実現できるが、タオル地は丈にもおのずから限界があるため煮汁や油などが飛散した場合に衣服やズボン、スカートなどに付着するのを防止するには難がある。またホルダーに取り付けるためにはタオル地の端部をあらかじめ筒状に形成する手間を要するのと、タオル地を交換するつど筒縫い部にホルダーを貫通させなければならず、そのための作業手数がかかるといった欠点もある。【０００５】  特許文献２に記載のものは二重エプロンであり、ポケットや模様をあしらった普通エプロンの表面に、吸水性の布材からなる添着布を着脱自在に取り付けることを特徴としている。この技術における添着布はエプロンとほぼ同形に形造り、エプロンの全面に貼り付けるものであるからエプロンの大きさに合わせて作製することを要し、そのため通常使用されるタオル地などをそのまま取り付けることはできない。またエプロンは紐結びで体に取り付けるため大人でも手間取るといった不便がある。【０００６】  本考案はこのような従来のエプロンとは異なり腰部にワンタッチで装着できるとともに、煮汁や油類などから衣服を未然に防止でき安心して調理等ができるクイックエプロンを提供することを意図している。
【課題を解決するための手段】
【０００７】  そのために本考案は、ビニールからなる長めのエプロン主体の上縁部をヘアバンド形のホルダーに固定し、上縁部の直下に取り付けた複数個の留具半体と係合する留具半体を取り付けたタオル地を、エプロン主体の前面に添装し、しかして前記ホルダーによりエプロン主体を胴部等に装着することを主旨としたものである。
【考案の効果】
【０００８】  エプロン主体はビニール製のため油や煮汁・汚水などが付着しても手作業でそれらを容易迅速に払拭できて洗濯等の手間も省けるとともに衣服から取り外す頻度も少なくて済み調理作業等を中断することなく続けることができる。エプロン主体は長めに形成されているのでズボンやスカートへの汚れの付着も可及的防止できる。【０００９】  エプロン主体の前面に添装したタオル地によっていつでもぬれた手をぬぐうことができ、汚れた手でエプロンをつかむこともないためエプロンの清潔度が保たれる。タオル地は特別な素材を必要とせず通常市販のタオルに、エプロン側の止め具半体に適合する止め具半体を取り付けるのみの簡単な構成としたものであるからコスト高とならず、頻繁に交換することも容易で普通に洗濯すれば繰り返し使用ができる。また長めのエプロン主体に対しタオル地を短く形成したことによりタオル地をつかむのにすこぶる都合がよく使い勝手がよい。【００１０】  ホルダーの大きさやエプロンの長さにも限定はないため腰周りだけでなく首周りにエプロンをワンタッチで取り付けることもでき、調理や家事用だけでなく介護用エプロンとしての使用もできる。その際タオル地が不要であれば止め具半体同士の係合を解くだけでエプロン主体のみでの使用も容易となる。エプロン主体をビニール製としたことで水分が内側に浸透することがないため入浴介助や排泄物処理時にも衣服を汚すことなく作業できる。
【図面の簡単な説明】
【００１１】
【図１】本考案を構成するエプロン主体とタオル地の説明図である。
【図２】ホルダーを開いた状態で概観した本考案の説明図である。
【図３】本考案の使用状態図である。
【図４】本考案の他の例を示す使用状態図である。
【考案を実施するための形態】
【００１２】  図面に基づきこの考案を実施する形態につき説明すると、図１は本考案を構成するビニール製のエプロン主体１と該主体前面に添装されるタオル地２を示している。エプロン主体１は、上縁部１´がヘアバンド形のホルダー５に巻装され、タオル地２はエプロン主体１の上部に取り付けたホック形の留具半体３と合致する留具半体４を取り付けているため両半体を係合すればエプロン主体１と一体にできる。エプロン主体１は通常背丈の膝下あたりを覆うことができるような長さに形成されるが、タオル地２は市販の短尺なタオル長さで十分足りる。
【００１３】  図２は開口状態としたホルダー５にエプロン主体１とタオル地２が取り付けられた例を示したもので、ホルダー５は本来両端部同士が弾性付勢されて重なり合うように縮径されているが使用時には図示のように開口されるものであり、開口後は腰周り等にフィットするためエプロンがずり落ちる心配はない。
【００１４】  図３は衣服の腰周りに本案エプロンを取り付けた通常の使用例を示している。主体１は衣服６の外面を覆うようにしてあるため調理中などで油や水の飛散があっても衣服への付着を避けることができる。そして両手又は片手が水濡れしたような場合は前面に添装したタオル地２で直ちに払拭でき、タオルをわざわざ探す必要がない。タオル地２はエプロン主体１よりも短い丈のものを使用しているので主体１をつかむことなく要領よく手ふき作業ができる。
【００１５】  図４は介護用などに対応できるような長さにエプロン主体１を形成した例を示したもので全身がほヾ主体１でカバーされる。この場合エプロン主体１の上縁部１´は首周りにフィットするものであるから、当然ながらヘアバンド形のホルダーは胴回り用のものよりも小径となる。図ではタオル地を省略してあるが、必要に応じ取り付けができるものである。
【００１６】  上記実施形態における留具半体３・４は相互が係合できて着脱が容易であればホック式のものでも面ファスナー式のものでも差し支えはなく、また本考案の目的効果を奏する範囲内におけるエプロン主体１、タオル地２の素材などは任意のものを選択できること勿論である。
【符号の説明】
【００１７】１  エプロン主体        １´上縁部      ２  タオル地
３、４  留具半体        ５  ホルダー    ６  衣服
【図１】
0003181726.tif 000003
【図２】
0003181726.tif 000004
【図３】
0003181726.tif 000005
【図４】
0003181726.tif 000006